(57)【要約】【課題】コンテンツデータの再生処理の終了を視聴者に周知させることが可能な表示システム、表示装置、再生制御プログラム及び再生制御方法を提供することを目的としている。【解決手段】表示装置と、前記表示装置と通信可能な情報端末と、を含む表示システムであって、前記情報端末は、選択されたコンテンツデータと、前記コンテンツデータの再生を制御する再生制御情報とを前記表示装置へ送信する送信部を有し、前記表示装置は、前記再生制御情報に基づき、前記コンテンツデータが再生可能か否かを判断する再生可否判断部と、前記再生可否判断部により再生不可能と判断された前記コンテンツデータの数と、前記再生制御情報に含まれる前記コンテンツデータの数とが一致したとき、所定の終了処理を行う終了処理部と、を有する。【選択図】図１０
2015055918.tif 000002
【特許請求の範囲】
【請求項１】
表示装置と、前記表示装置と通信可能な情報端末と、を含む表示システムであって、
前記情報端末は、
選択されたコンテンツデータと、前記コンテンツデータの再生を制御する再生制御情報とを前記表示装置へ送信する送信部を有し、
前記表示装置は、
前記再生制御情報に基づき、前記コンテンツデータが再生可能か否かを判断する再生可否判断部と、
前記再生可否判断部により再生不可能と判断された前記コンテンツデータの数と、前記再生制御情報に含まれる前記コンテンツデータの数とが一致したとき、所定の終了処理を行う終了処理部と、を有することを特徴とする表示システム。
【請求項２】
表示装置と、プログラムと、を含む表示システムであって、
前記プログラムは、前記表示装置と通信可能な情報端末に、
選択されたコンテンツデータと、前記コンテンツデータの再生を制御する再生制御情報とを前記表示装置へ送信する送信手順を実行させ、
前記表示装置は、
前記送信手順により送信された前記再生制御情報に基づき、前記コンテンツデータが再生可能か否かを判断する再生可否判断部と、
前記再生可否判断部により再生不可能と判断された前記コンテンツデータの数と、前記再生制御情報に含まれる前記コンテンツデータの数とが一致したとき、所定の終了処理を行う終了処理部と、を有することを特徴とする表示システム。
【請求項３】
情報端末と通信可能な表示装置であって、
前記情報端末において選択されたコンテンツデータと、前記コンテンツデータの再生を制御する再生制御情報とを受信する受信部と、
前記再生制御情報に基づき、前記コンテンツデータが再生可能か否かを判断する再生可否判断部と、
前記再生可否判断部により再生不可能と判断された前記コンテンツデータの数と、前記再生制御情報に含まれる前記コンテンツデータの数とが一致したとき、所定の終了処理を行う終了処理部と、を有することを特徴とする表示装置。
【請求項４】
前記所定の終了処理は、
予め設定された初期画像を表示させる処理であることを特徴とする請求項３記載の表示装置。
【請求項５】
前記所定の終了処理は、
全ての前記選択されたコンテンツデータに対して付与されたファイル名を変更する処理であることを特徴とする請求項３記載の表示装置。
【請求項６】
前記所定の終了処理は、
全ての前記選択されたコンテンツデータを削除する処理であることを特徴とする請求項３記載の表示装置。
【請求項７】
前記所定の終了処理は、
少なくともコンテンツデータを表示させる表示部に対する電源の供給を停止させることを特徴とする請求項３記載の表示装置。
【請求項８】
前記再生制御情報を解析し、前記情報端末において選択された前記コンテンツデータの数を取得する解析部を有することを特徴とする請求項３乃至７の何れか一項に記載の表示装置。
【請求項９】
情報端末と通信可能な表示装置において実行される再生制御プログラムであって、
前記表示装置に、
前記情報端末において選択されたコンテンツデータと、前記コンテンツデータの再生を制御する再生制御情報とを受信する受信手順と、
前記再生制御情報に基づき、前記コンテンツデータが再生可能か否かを判断する再生可否判断手順と、
前記再生可否判断手順において再生不可能と判断された前記コンテンツデータの数と、前記再生制御情報に含まれる前記コンテンツデータの数とが一致したとき、所定の終了処理を行う終了処理手順と、を実行させることを特徴とする再生制御プログラム。
【請求項１０】
情報端末と通信可能な表示装置による再生制御方法であって、
前記情報端末において選択されたコンテンツデータと、前記コンテンツデータの再生を制御する再生制御情報とを受信する受信手順と、
前記再生制御情報に基づき、前記コンテンツデータが再生可能か否かを判断する再生可否判断手順と、
前記再生可否判断手順において再生不可能と判断された前記コンテンツデータの数と、前記再生制御情報に含まれる前記コンテンツデータの数とが一致したとき、所定の終了処理を行う終了処理手順と、を有することを特徴とする再生制御方法。
【発明の詳細な説明】
【技術分野】
【０００１】
本発明は、コンテンツデータの表示システム、表示装置、再生制御プログラム及び再生制御方法に関する。
【背景技術】
【０００２】
従来から、情報端末において選択されたコンテンツデータを表示装置に提供し、表示装置で選択されたコンテンツデータを再生させるシステムが知られている。このシステムでは、例えば選択されたコンテンツデータが表示装置で再生不可能であった場合、このコンテンツデータをスキップすることで、滞りなくコンテンツデータの再生を継続することが知られている（特許文献１）。
【発明の概要】
【発明が解決しようとする課題】
【０００３】
上記従来の技術において、例えば選択されたコンテンツデータが全て再生不可能であった場合、表示装置は選択された全てのコンテンツデータをスキップする。このため表示装置は、コンテンツデータを何も表示しないまま再生を終了する。したがって、表示装置により再生されるコンテンツデータの視聴者は、コンテンツデータの再生がこれから始まるのか、又はコンテンツデータの再生が終了しているのか等の状況を判断することが困難になる。
【０００４】
本発明は、上記事情を鑑みてこれを解決すべく為されたものであり、コンテンツデータの再生処理の終了を視聴者に周知させることが可能な表示システム、表示装置、再生制御プログラム及び再生制御方法を提供することを目的としている。
【課題を解決するための手段】
【０００５】
本発明は、上記目的を達成すべく以下の如き構成を採用した。
【０００６】
本発明は、表示装置と、前記表示装置と通信可能な情報端末と、を含む表示システムであって、前記情報端末は、選択されたコンテンツデータと、前記コンテンツデータの再生を制御する再生制御情報とを前記表示装置へ送信する送信部を有し、前記表示装置は、前記再生制御情報に基づき、前記コンテンツデータが再生可能か否かを判断する再生可否判断部と、前記再生可否判断部により再生不可能と判断された前記コンテンツデータの数と、前記再生制御情報に含まれる前記コンテンツデータの数とが一致したとき、所定の終了処理を行う終了処理部と、を有する。
【発明の効果】
【０００７】
本発明によれば、コンテンツデータの再生処理の終了を視聴者に周知させることができる。
【図面の簡単な説明】
【０００８】
【図１】表示システムのシステム構成の一例を示す図である。
【図２】表示システムの利用シーンの一例を説明する図である。
【図３】表示システムが有する各装置のハードウェア構成の一例を示す図である。
【図４】表示装置の動作の概要を説明する図である。
【図５】表示システムが有する各装置の機能構成の一例を示す図である。
【図６】設定項目情報の一例を示す図である。
【図７】設定テーブルの一例を示す図である。
【図８】再生制御情報の一例を説明する図である。
【図９】表示システムの動作を説明するシーケンス図である。
【図１０】再生処理部による処理を説明するフローチャートである。
【発明を実施するための形態】
【０００９】
本発明は、再生不可能なコンテンツデータの数が再生制御情報に含まれるコンテンツデータの数と一致したとき、コンテンツデータの再生を終了し、再生の終了を周知させるための終了処理を行う。
【００１０】
以下に図面を参照して本発明の実施形態について説明する。図１は、表示システムのシステム構成の一例を示す図である。
【００１１】
本実施例の表示システム１００は、情報端末２００と表示装置３００とを有し、情報端末２００と表示装置３００とはネットワーク等のデータ伝送路Ｎを介して接続される。
【００１２】
本実施例の情報端末２００は、例えば３Ｇ（3rd Generation）,ＬＴＥ（Long Term Evolution），４Ｇ（4th Generation）の規格に準ずる通信方式による通信を行っても良い。また本実施形態の情報端末２００は、例えばＺｉｇＢｅｅやＢｌｕｅｔｏｏｔｈ（登録商標）等に準ずる通信方式よる通信を行っても良い。
【００１３】
本実施形態の情報端末２００は、例えばスマートフォンや携帯電話等の無線通信端末であっても良い。また本実施形態の情報端末２００は、例えばタブレットＰＣ（Personal Computer）やノート型ＰＣであっても良い。本実施形態の情報端末２００は、表示装置３００と通信を行えるものであれば良い。
【００１４】
本実施形態の情報端末２００は、選択制御プログラム２１０がインストールされている。本実施形態の情報端末２００は、選択制御プログラム２１０を実行し、情報端末２００において選択されたコンテンツデータを後述する再生制御情報と共に表示装置３００へ送信する。
【００１５】
本実施形態の表示装置３００は、再生制御プログラム３１０がインストールされている。本実施形態の表示装置３００は、再生制御プログラム３１０を実行することで、情報端末２００から送信されたコンテンツデータを再生制御情報に基づき表示させる。
【００１６】
本実施形態の表示装置３００は、情報端末２００から送信された再生制御情報に基づきコンテンツデータを表示させることが可能な表示機能を有していれば良い。具体的には本実施例の表示装置３００は、例えばプロジェクタやディスプレイ等である。
【００１７】
以下の本実施形態の説明では、表示装置３００が再生制御情報にしたがってコンテンツデータを表示させることを、コンテンツデータを再生する、と表現する。
【００１８】
また本実施形態のコンテンツデータとは、例えば画像データや動画データ等である。コンテンツデータとなる画像データは、例えば１枚の画像の画像データであっても良いし、複数枚の画像の画像データであっても良い。本実施形態のコンテンツデータは、表示装置３００に表示させることが可能なデータであれば良い。
【００１９】
以下の本実施形態の説明では、情報端末２００から表示装置３００へ送信され、表示装置３００で再生されるコンテンツデータを再生コンテンツデータと呼ぶ。言い換えれば再生コンテンツデータとは、情報端末２００において表示装置３００へ送信するために選択されたコンテンツデータである。
【００２０】
また以下の本実施形態の説明では、例えば所定の記憶領域に格納されている複数のコンテンツデータをコンテンツデータと呼び、コンテンツデータに含まれるコンテンツデータを単にコンテンツデータと呼ぶ。
【００２１】
以下に図２を参照して本実施形態の表示システム１００の利用シーンについて説明する。図２は、第一の実施形態の表示システムの利用シーンの一例を説明する図である。
【００２２】
図２の例では、情報端末２００をスマートフォン又はタブレットＰＣとし、表示装置３００をプロジェクタ３０１とスクリーン３０２を含む構成とし、表示システム１００を例えば電子看板（Digital Signage）に用いた場合を示している。
【００２３】
本実施形態の情報端末２００は、ユーザによりコンテンツデータからコンテンツデータが選択され、選択されたコンテンツデータ（再生コンテンツデータ）の再生の仕方が設定されると、この設定に基づき選択されたコンテンツデータの再生制御情報を生成する。そして情報端末２００は、再生コンテンツデータと再生制御情報とをプロジェクタ３０１へ送信する。プロジェクタ３０１は、受信した再生コンテンツデータと再生制御情報とを記憶部に保存し、再生制御情報にしたがって再生コンテンツデータを再生する。
【００２４】
本実施形態の表示システム１００では、ユーザは、１度再生コンテンツデータと再生制御情報を表示装置３００に送信すれば、所望の設定通りに再生コンテンツデータを継続して再生することができる。
【００２５】
すなわち本実施形態の表示システム１００を電子看板等に適用した場合、自動的にユーザが望むようにコンテンツデータが再生されるため、ユーザはコンテンツデータの表示順や表示の切り替え等をその都度設定する手間を省くことができる。
【００２６】
次に図３を参照して本実施形態の表示システム１００の有する各装置のハードウェア構成を説明する。図３は、第一の実施形態の表示システムが有する各装置のハードウェア構成の一例を示す図である。
【００２７】
本実施形態の情報端末２００は、それぞれバスＢ１で相互に接続されているＣＰＵ（Central Processing Unit）２１、記憶部２２、入力部２３、外部インターフェイス部２４、ネットワーク制御部２５、出力部２６、ドライバ２７を有する。
【００２８】
ＣＰＵ２１は、情報端末２００の各種動作を制御する。記憶部２２は、情報端末２００の動作や演算に係る各種情報や、情報端末２００で実行される各種プログラム等が格納される。入力部２３は、各種信号や情報を入力するために用いられる。入力部２３は、例えばタッチパネル等の表示機能を有していても良い。また本実施形態の入力部２３は、例えばポインティングデバイスやキーボード等であっても良い。
【００２９】
本実施形態の外部インターフェイス部２４は、例えばＵＳＢ（Universal Serial Bus）メモリスロットやＮＦＣ（Near field communication）等である。ネットワーク制御部２５は、モデム，ＬＡＮカード等を含み、ネットワークに接続する為に用いられる。
出力部２６は、情報端末２００から各種情報報の出力するために用いられる。本実施形態の出力部２６は、例えばディスプレイ等であっても良いし、外部装置へ各種データを送信する送信部であっても良い。
【００３０】
本実施形態の選択制御プログラム２１０は、情報端末２００を制御する各種プログラムの少なくとも一部である。選択制御プログラム２１０は例えば記録媒体２８の配布やネットワークからのダウンロードなどによって提供される。選択制御プログラム２１０を記録した記録媒体２８は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００３１】
また選択制御プログラム２１０を記録した記録媒体２８がドライバ２７にセットされると、選択制御プログラム２１０は記録媒体２８からドライバ２７を介して記憶部２２にインストールされる。ネットワークからダウンロードされた選択制御プログラム２１０は、ネットワーク制御部２５を介して記憶部２２にインストールされる。
【００３２】
記憶部２２は、インストールされた選択制御プログラム２１０を格納すると共に、必要なファイル，データ等を格納する。ＣＰＵ２１は記憶部２２に格納された選択制御プログラム２１０に従って、後述するような各種処理を実現している。
【００３３】
本実施形態の表示装置３００は、それぞれバスＢ２で相互に接続されているＣＰＵ３１、記憶部３２、入力部３３、外部インターフェイス部３４、ネットワーク制御部３５、表示部３６、ドライバ２７を有する。
【００３４】
ＣＰＵ３１は、表示装置３００の各種動作を制御する。記憶部３２は、表示装置３００の動作や演算に係る各種情報や、表示装置３００で実行される各種プログラム、表示装置３００で再生されるコンテンツデータ等が格納される。入力部３３は、各種信号や情報を入力するために用いられる。入力部３３は、例えば表示装置３００を操作する操作部材等である。
【００３５】
本実施形態の外部インターフェイス部３４は、例えばＵＳＢ（Universal Serial Bus）メモリスロットやＮＦＣ（Near field communication）等である。ネットワーク制御部３５は、表示装置３００のネットワークへの接続を制御する。表示部３６は、表示装置３００が表示指示を受けたコンテンツデータを表示させる。
【００３６】
本実施形態の再生制御プログラム３１０は、表示装置３００を制御する各種プログラムの少なくとも一部である。再生制御プログラム３１０は例えば記録媒体３８の配布やネットワークからのダウンロードなどによって提供される。また再生制御プログラム３１０を記録した記録媒体３８がドライバ３７にセットされると、再生制御プログラム３１０は記録媒体３８からドライバ３７を介して記憶部３２にインストールされる。ネットワークからダウンロードされた再生制御プログラム３１０は、ネットワーク制御部３５を介して記憶部３２にインストールされる。
【００３７】
記憶部３２は、インストールされた再生制御プログラム３１０を格納すると共に、必要なファイル，データ等を格納する。ＣＰＵ３１は記憶部３２に格納された再生制御プログラム３１０に従って、後述するような各種処理を実現している。
【００３８】
次に、図４を参照して本実施形態の表示装置３００の動作の概要を説明する。図４は、表示装置の動作の概要を説明する図である。
【００３９】
本実施形態の表示装置３００は、再生制御情報と再生コンテンツデータとを受信すると、再生制御情報に基づき再生コンテンツデータに含まれるコンテンツデータの総数を取得する。そして表示装置３００は、再生コンテンツデータに含まれるコンテンツデータ毎に、再生可能か否かを判断し、コンテンツデータが再生不可能である度に、その数を失敗履歴情報として更新する。
【００４０】
表示装置３００は、再生コンテンツデータに含まれる全てのコンテンツデータが再生可能か否かを判断した後に、再生コンテンツデータに含まれるコンテンツデータの数と、失敗履歴情報として保存された数とを比較する。そして表示装置３００は、両者が一致した場合、再生コンテンツデータに含まれる全てのコンテンツデータが再生不可能であったとして、再生の終了処理を行う。終了処理の詳細は後述する。
【００４１】
次に図５を参照して本実施形態の表示システム１００が有する各装置の機能構成について説明する。図５は、表示システムが有する各装置の機能構成の一例を示す図である。
【００４２】
本実施形態の情報端末２００は、記憶部２２内に設けられた所定の記憶領域２２０を有する。記憶領域２２０には、例えばコンテンツデータ２２１と、設定項目情報２２２とが格納されている。コンテンツデータ２２１は、例えば表示装置３００へ表示することが可能なデータであり、例えば画像データや動画データ等である。本実施形態の設定項目情報２２２は、再生制御情報においてユーザにより設定される項目を示す情報である。設定項目情報２２２の詳細は後述する。
【００４３】
また本実施形態の情報端末２００は、表示制御部２１１、入力受付部２１２、再生制御情報生成部２１３、送信部２１４を有する。
【００４４】
本実施形態の表示制御部２１１は、情報端末２００の出力部２６であるディスプレイ等に、コンテンツデータ２２１の一覧画面や、設定項目情報２２２に含まれる項目の値を設定させる設定画面等を表示させる。
【００４５】
本実施形態の入力受付部２１２は、コンテンツデータ２２１の一覧を表示させた一覧画面においてコンテンツデータ２２１の選択を受け付ける。本実施形態では、情報端末２００の一覧画面において選択されたコンテンツデータ２２１が、表示装置３００で再生される再生コンテンツデータ３３１として、表示装置３００へ送信される。また本実施形態の入力受付部２１２は、設定項目情報２２２に含まれる項目の値を設定させる設定画面における設定値の入力を受け付ける。
【００４６】
本実施形態の再生制御情報生成部２１３は、再生コンテンツデータに含まれる情報に基づき、再生制御情報３３２を生成する。具体的には本実施形態の再生制御情報生成部２１３は、再生制御情報３３２に含まれる項目と、各項目に設定された値とを対応付けた設定テーブル２１５を保持しており、設定テーブル２１５を参照して所定のフォーマットにしたがった再生制御情報３３２を生成する。
【００４７】
本実施形態では、設定項目情報２２２に含まれる項目は再生制御情報３３２に含まれる項目の一部である。すなわち本実施形態の再生制御情報３３２には、設定項目情報２２２に含まれる項目に対してユーザが設定した値が含まれる。本実施形態の再生制御情報生成部２１３の処理の詳細は後述する。
【００４８】
本実施形態の送信部２１４は、再生コンテンツデータ３３１と、生成された再生制御情報３３２とを表示装置３００へ送信する。
【００４９】
尚本実施形態の情報端末２００は、コンテンツデータ２２１が記憶部２２内に格納されているものとしたが、これに限定されない。コンテンツデータ２２１は、例えば情報端末２００が読取可能な可搬型の記録媒体に格納されていても良いし、情報端末２００と通信が可能な外部装置に格納されていても良い。
【００５０】
本実施形態の表示装置３００は、入力受付部３１１、保存制御部３１２、解析部３１３、再生処理部３２０を有する。本実施形態の再生処理部３２０は、表示制御部３１４、再生可否判断部３１５、カウント部３１６、終了処理部３１７を有する。
【００５１】
さらに本実施形態の表示装置３００は、情報端末２００から送信された再生コンテンツデータ３３１と、再生制御情報３３２とが格納される記憶領域３３０を有する。尚本実施形態の記憶領域３３０は、例えば表示装置３００の有する記憶部３２に設けられても良いし、表示装置３００が読取可能な可搬型の記録媒体に設けられても良い。また記憶領域３３０は、表示装置３００と通信が可能な外部装置等に設けられても良い。
【００５２】
入力受付部３１１は、情報端末２００から受信した再生コンテンツデータ３３１と再生制御情報３３２とを入力として受け付ける。
【００５３】
保存制御部３１２は、情報端末２００から受信した再生コンテンツデータ３３１と再生制御情報３３２とを記憶領域３３０に格納する。また本実施形態の保存制御部３１２は、情報端末２００から再生コンテンツデータ３３１の再生指示を受けると、再生制御情報３３２に含まれる各項目の値を表示装置３００に設定する。
【００５４】
解析部３１３は、再生制御情報３３２を解析し、再生コンテンツデータ３３１に含まれるコンテンツデータ２２１の数を取得する。
【００５５】
本実施形態の再生処理部３２０は、表示制御部３１４、再生可否判断部３１５、カウント部３１６、終了処理部３１７により、再生コンテンツデータ３３１の再生処理と、再生処理の終了とを行う。
【００５６】
表示制御部３１４は、表示部３６に対する再生コンテンツデータ３３１の表示を制御する。
【００５７】
再生可否判断部３１５は、再生コンテンツデータ３３１に含まれるコンテンツデータ２２１が表示装置３００において再生可能か否かを判断する。再生可否判断部３１５の処理の詳細は後述する。
【００５８】
カウント部３１６は、再生可否判断部３１５に判断結果に基づき、カウンタの値をインクリメントする。本実施形態では、カウント部３１６によりカウントされる値が、再生不可能なコンテンツデータ２２１の数を示す失敗履歴情報となる。本実施形態のカウンタは、例えば表示装置３００のＣＰＵ３１内に設けられていても良い。
【００５９】
終了処理部３１７は、再生コンテンツデータ３３１に含まれるコンテンツデータ２２１が全て再生不可能か否か判断し、全てのコンテンツデータ２２１が再生不可能であったとき、再生処理の終了に伴う終了処理を行う。終了処理の詳細は後述する。
【００６０】
次に、本実施形態の再生制御情報生成部２１３による再生制御情報の生成について説明する。
【００６１】
図６は、設定項目情報の一例を示す図である。
【００６２】
本実施形態の設定項目情報２２２には、例えば設定項目として、Ｏｒｄｅｒ、Ｔｉｍｅ、Ｅｆｆｅｃｔが含まれる。
【００６３】
項目Ｏｒｄｅｒは、再生コンテンツデータ３３１に含まれるコンテンツデータ２２１の再生順を示す項目である。本実施形態では、例えば項目Ｏｒｄｅｒの値が０のとき、再生コンテンツデータ３３１に含まれるコンテンツデータ２２１の再生順が指定されていることを示す。また項目Ｏｒｄｅｒの値が１のとき、再生コンテンツデータ３３１に含まれるコンテンツデータ２２１の再生順はランダムとなる。コンテンツデータ２２１の再生順は、例えばコンテンツデータ２２１の一覧画面で再生コンテンツデータ３３１に選択された順であっても良い。
【００６４】
項目Ｔｉｍｅは、再生コンテンツデータ３３１に含まれるコンテンツデータ２２１の再生時間を示す項目である。
【００６５】
項目Ｅｆｆｅｃｔは、再生コンテンツデータ３３１に含まれるコンテンツデータ２２１の表示の切り替え方を示す項目である。
【００６６】
本実施形態の情報端末２００は、表示制御部２１１が設定項目情報２２２に基づき、各項目の設定画面を表示させる。
【００６７】
以下に、情報端末２００において、記憶領域２２０に格納されたコンテンツデータ２２１から、３つのコンテンツデータ２２１ａ，２２１ｂ，２２１ｃがこの順番に選択された場合の各項目について考える。
【００６８】
この場合、再生コンテンツデータ３３１は、コンテンツデータ２２１ａ，２２１ｂ，２２１ｃの集合となる。よって項目Ｏｒｄｅｒの値が０であった場合、コンテンツデータ２２１ａ，２２１ｂ，２２１ｃは、この順番が再生の順序に設定される。また項目Ｏｒｄｅｒの値が１であった場合、コンテンツデータ２２１ａ，２２１ｂ，２２１ｃの再生順はランダムとなる。本実施形態では、項目Ｏｒｄｅｒの値は初期値として０が予め設定されていても良い。
【００６９】
項目Ｔｉｍｅでは、コンテンツデータ２２１ａ，２２１ｂ，２２１ｃのそれぞれの再生時間が設定される。尚項目Ｔｉｍｅでは、初期値として５秒という時間が予め設定されている。
【００７０】
項目Ｅｆｆｅｃｔでは、例えばンテンツデータ２２１ａ，２２１ｂ，２２１ｃがこの順に再生されるものと設定された場合には、表示装置３００の表示がコンテンツデータ２２１ａからコンテンツデータ２２１ｂへ切り替わるときの切り替え方が設定される。また項目Ｅｆｆｅｃｔでは、コンテンツデータ２２１ｂからコンテンツデータ２２１ｃへ切り替わるときの切り替え方が設定される。尚項目Ｅｆｆｅｃｔでは、初期値としてフェードインが設定されている。フェードインとは、徐々に再生される画像が明確になるように表示を切り替える切り替え方である。
【００７１】
本実施形態では、表示の切り替え方として、左右へのプッシュやワイプ等が設定できる。プッシュとは、例えば表示されているコンテンツデータを左右のどちらかに押し出すようにして次のコンテンツデータを表示させる表示の切り替え方である。またワイプとは、表示中のコンテンツデータを拭き取るようにして次のコンテンツデータを表示させる表示の切り替え方である。
【００７２】
尚本実施形態では、再生コンテンツデータ３３１に含まれるコンテンツデータ２２１に対して一括して設定項目情報２２２に含まれる項目に値を設定しても良いし、再生コンテンツデータ３３１に含まれる各コンテンツデータ２２１に項目の値を設定しても良い。
【００７３】
図７は、設定テーブルの一例を示す図である。本実施形態の設定テーブル２１５は、設定項目情報２２２に含まれる項目Ｏｒｄｅｒ、Ｔｉｍｅ、Ｅｆｆｅｃの他に項目Ｖｅｒｓｉｏｎ、項目コンテンツリスト、項目パスを含む。
【００７４】
本実施形態の項目Ｖｅｒｉｏｎは、再生制御情報３３２を生成する際のフォーマットのバージョンを示す項目である。本実施形態の項目Ｖｅｒｓｉｏｎの値は、再生コンテンツデータ３３１を表示装置３００に表示させるために、表示装置３００側と対応した値とする。
【００７５】
項目コンテンツリストは、コンテンツデータの再生設定の配列を示す。配列とは、例えば再生コンテンツデータ３３１に含まれるコンテンツデータ２２１が記憶領域３３０に格納された順や、コンテンツデータ２２１が選択された順等である。本実施形態の設定テーブル２１５では、項目Ｖｅｒｓｉｏｎ、コンテンツリストは予め設定されているものとした。
【００７６】
項目パスは、再生コンテンツデータ３３１に含まれる各コンテンツデータ２２１の格納場所を示す情報である。本実施形態では、コンテンツデータ２２１が選択されたとき、そのコンテンツデータ２２１の格納場所を項目パスの値として設定テーブル２１５に設定しても良い。また本実施形態の項目パスの値には、選択されたコンテンツデータ２２１のファイル名が含まれても良い。
【００７７】
本実施形態の再生制御情報生成部２１３は、設定項目情報２２２に含まれる各項目の値がユーザにより設定されると、ユーザにより設定された値を設定テーブル２１５の該当する項目と対応付ける。そして再生制御情報生成部２１３は、設定テーブル２１５を参照して再生制御情報３３２を生成する。
【００７８】
尚本実施形態では、設定テーブル２１５に含まれる一部の項目が設定項目情報２２２に含まれるものとしたが、これに限定されない。例えば設定テーブル２１５に含まれる全ての項目が設定項目情報２２２に含まれても良い。すなわち設定テーブル２１５に含まれる全ての項目の値が、ユーザにより設定可能であっても良い。
【００７９】
図８は、再生制御情報の一例を説明する図である。本実施形態の再生制御情報生成部２１３は、設定テーブル２１５の各項目の値が設定されると、全ての項目の値を含む所定のフォーマットの再生制御情報３３２を生成する。
【００８０】
図８の例では、所定のフォーマットは、ジェイソン形式とした。ジェイソン形式とは、JavaScript（登録商標）におけるオブジェクトの表記法をベースとした軽量なデータ記述言語である。本実施形態の再生制御情報３３２のフォーマットは、表示装置３００が読取可能なフォーマットとした。
【００８１】
図８の例では、項目Ｖｅｒｓｉｏｎの値は１．１．０であり、項目Ｏｒｄｅｒの値は０であり、項目コンテンツリストの値として、再生コンテンツデータ３３１に含まれる５つのコンテンツデータ２２１が再生順に並べられている。項目コンテンツリストの値は、具体的には再生コンテンツデータ３３１に含まれ各コンテンツデータ２２１の項目パスの値、項目Ｔｉｍｅの値、項目Ｅｆｆｅｃｔの値である。
【００８２】
以上のように本実施形態では、ユーザが設定した値を含む再生制御情報３３２を生成し、表示装置３００へ送信する。よって本実施形態では、ユーザの所望の再生の仕方を表示装置３００に設定させることができる。
【００８３】
尚図８は、本実施形態の再生制御情報３３２の一例を示すものであって、再生制御情報３３２はこれに限定されるものではない。再生制御情報３３２は、少なくとも再生コンテンツデータ３３１が含むコンテンツデータ２２１の格納場所が含まれていれば良い。
【００８４】
次に図９を参照して本実施形態の表示システム１００の動作を説明する。図９は、表示システムの動作を説明するシーケンス図である。
【００８５】
本実施形態の表示システム１００において、表示装置３００は、情報端末２００から再生要求を受信すると、入力受付部３１１は受信した情報を受け付ける（ステップＳ９０１）。本実施形態では、情報端末２００は、再生コンテンツデータ３３１と再生制御情報３３２とを再生要求と共に表示装置３００へ送信するものとした。
【００８６】
続いて入力受付部３１１は、保存制御部３１２に対し、再生コンテンツデータ３３１と再生制御情報３３２の保存要求を行う（ステップＳ９０２）。保存制御部３１２は、保存要求を受けて、再生コンテンツデータ３３１と再生制御情報３３２とを保存する（ステップＳ９０３）。
【００８７】
また入力受付部３１１は、解析部３１３に対し、再生制御情報３３２の解析要求を行う（ステップＳ９０４）。解析部３１３は、解析要求を受けて、再生制御情報３３２の解析を行い、再生コンテンツデータ３３１に含まれるコンテンツデータ２２１の数を取得する（ステップＳ９０５）。具体的には本実施形態の解析部３１３は、再生制御情報３３２に含まれるパスの数を解析し、このパスの数を再生コンテンツデータ３３１に含まれるコンテンツデータ２２１の数として取得する。尚本実施形態のパスとは、項目パスにコンテンツデータ２２１の格納場所が値として設定されたものを示す。
【００８８】
続いて解析部３１３は、取得したコンテンツデータ２２１の数を保持し、再生処理部３２０に再生コンテンツデータ３３１の再生要求を行う（ステップＳ９０６）。
【００８９】
再生処理部３２０は、再生要求を受けて、再生コンテンツデータ３３１の再生処理を開始する（ステップＳ９０７）。
【００９０】
以下に図１０を参照して本実施形態の再生処理部３２０による処理について説明する。図１０は、再生処理部による処理を説明するフローチャートである。
【００９１】
尚本実施形態の図１０では、例えば再生コンテンツデータ３３１を情報端末２００において予め設定された所定回数繰り返し再生する場合の処理を示している。すなわち図１０に示す処理は、例えば情報端末２００で選択されたコンテンツデータ２２１が含まれる再生コンテンツデータ３３１を、表示装置３００においてスライドショーとして繰り返し再生する場合等に適用することができる。
【００９２】
本実施形態の再生処理部３２０は、再生コンテンツデータ３３１の再生要求を受けると、再生可否判断部３１５により、再生コンテンツデータ３３１に含まれるコンテンツデータ２２１をデコードし（ステップＳ１００１）、再生可能か否かを判断する（ステップＳ１００２）。尚ステップＳ１００１以降の処理は、再生制御情報３３２において、再生順が１番目に設定されたコンテンツデータ２２１から行っても良い。
【００９３】
具体的には再生可否判断部３１５は、再生制御情報３３２を参照し、再生制御情報３３２が表示装置３００により読取可能なフォーマットであるか否かを判断する。また再生可否判断部３１５は、再生制御情報３３２を参照し、例えば再生コンテンツデータ３３１に含まれるコンテンツデータ２２１の形式が動画データ又は画像データであるか否かを判断する。再生可否判断部３１５は、例えばコンテンツデータ２２１が動画データ又は画像データでない場合、コンテンツデータ２２１は再生不可能と判断しても良い。
【００９４】
また本実施形態の再生可否判断部３１５は、例えば項目Ｖｅｒｓｉｏｎの値が表示装置３００と対応しているか否かを判断しても良い。再生可否判断部３１５は、例えば項目Ｖｅｒｓｉｏｎの値が表示装置３００と対応していない場合に、再生コンテンツデータ３３１に含まれる全てのコンテンツデータ２２１が再生不可能と判断しても良い。
【００９５】
また本実施形態の再生可否判断部３１５は、例えば再生制御情報３３２に再生コンテンツデータ３３１に含まれる各コンテンツデータ２２１のパスが含まれているか否かを判断しても良い。再生可否判断部３１５は、再生制御情報３３２にパスが格納されていないコンテンツデータ２２１を再生不可能と判断しても良い。
【００９６】
ステップＳ１００２においてコンテンツデータ２２１が再生可能と判断された場合、表示制御部３１４により描画される（ステップＳ１００３）。ステップＳ１００２においてコンテンツデータ２２１が再生不可能と判断された場合、カウント部３１６によりカウンタの値をインクリメントさせて失敗履歴情報を更新し、後述するステップＳ１００５へ進む（ステップＳ１００７）。
【００９７】
ステップＳ１００３に続いて表示制御部３１４は、再生制御情報３３２を参照し、描画したコンテンツデータ２２１の再生時間をタイマにセットする（ステップＳ１００５）。尚タイマは、表示装置３００の有するＣＰＵ３１等が有する計時機能等により実現されても良い。
【００９８】
続いて表示制御部３１４は、タイマにセットした再生時間が満了したか否かを判断する（ステップＳ１００６）。ステップＳ１００６において再生時間が満了していない場合、満了するまで待機する。
【００９９】
ステップＳ１００６において再生時間が満了すると、表示制御部３１４は、ステップＳ１００１でデコードしたコンテンツデータ２２１の再生順が、再生コンテンツデータ３３１に含まれるコンテンツデータ２２１において最後であるか否かを判断する（ステップＳ１００７）。
【０１００】
ステップＳ１００７において最後のコンテンツデータ２２１でなかった場合、再生処理部３２０は、ステップＳ１００１の処理へ戻る。
【０１０１】
ステップＳ１００７において最後のコンテンツデータ２２１であった場合、表示制御部３１４は、失敗履歴情報を取得する（ステップＳ１００８）。より具体的には、カウント部３１６によりカウントアップされたカウンタの値を取得する。
【０１０２】
続いて終了処理部３１７は、失敗履歴情報と、再生コンテンツデータ３３１に含まれるコンテンツデータ２２１の総数とが一致しているか否かを判断する（ステップＳ１００９）。
【０１０３】
ステップＳ１００９において両者が一致しない場合、表示制御部３１４は、カウンタの値をリセットし（ステップＳ１０１０）、ステップＳ１００１へ戻り、再生コンテンツデータ３３１の再生を繰り返す。
【０１０４】
ステップＳ１００９において両者が一致した場合、表示制御部３１４は、再生コンテンツデータ３３１の再生処理を終了する（ステップＳ１０１１）。続いて終了処理部３１７は、再生処理の終了に伴う終了処理を行う（ステップＳ１０１２）。
【０１０５】
尚本実施形態では、再生コンテンツデータ３３１に含まれるコンテンツデータ２２１について、再生順にデコードして再生可能か否かを判断する処理を行うものとしたが、これに限定されない。再生処理部３２０は、例えば再生コンテンツデータ３３１に含まれる全てのコンテンツデータ２２１について、デコードと再生可能か否かを判断する処理とを作に行い、その結果に基づき終了処理を行うか否かを判断しても良い。
【０１０６】
以下に本実施形態の終了処理について説明する。
【０１０７】
本実施形態の終了処理部３１７は、例えばステップＳ１０１１において再生処理が終了した場合、終了処理として、表示装置３００に予め設定された初期画面を表示させる処理を行っても良い。
【０１０８】
以上のように本実施形態では、再生可能なコンテンツデータ２２１が存在しない場合に、所定の終了処理を行うことで、再生コンテンツデータ３３１の再生処理が終了したことを再生コンテンツデータ３３１の視聴者に周知させることができる。尚、本実施形態における再生コンテンツデータ３３１の視聴者とは、情報端末２００において再生コンテンツデータ３３１の再生要求を行った情報端末２００のユーザも含む。
【０１０９】
また本実施形態の終了処理部３１７は、初期画面の表示に加え、例えば全てのコンテンツデータ２２１が再生不可能であった再生コンテンツデータ３３１を削除する処理を行っても良い。本実施形態では、再生不可能であった再生コンテンツデータ３３１を削除することで、記憶領域３３０の容量が不要に使用されることを抑制でき、より大きな容量を使用することができる。
【０１１０】
また終了処理部３１７は、再生コンテンツデータ３３１のファイル名を変更する処理を行っても良い。ファイル名を変更しておくことで、再生処理の終了を知った情報端末２００のユーザが再度変更前とファイル名が同じ再生コンテンツデータ３３１を表示装置３００へ送信した際、再生不可能であった再生コンテンツデータ３３１と区別することができる。
【０１１１】
さらに本実施形態の終了処理部３１７は、終了処理として、例えば表示装置３００の有する表示部３６への電源の供給を停止させる処理を行っても良い。さらには本実施形態の終了処理部３１７は、終了処理として、表示装置３００の電源をオフさせる処理を行っても良い。本実施形態では、終了処理として電源の制御を行うことで、再生コンテンツデータ３３１の再生処理の終了を周知させると共に、再生処理の終了後の表示装置３００における消費電力を削減することができる。
【０１１２】
本実施形態において、再生コンテンツデータ３３１に含まれる全てのコンテンツデータ２２１が再生不可能となる場合として、例えば記憶領域３３０から再生コンテンツデータ３３１へのアクセスが不可能となった場合が考えられる。例えば再生コンテンツデータ３３１の再生処理を繰り返している途中に、ＣＰＵ３１が記憶領域３３０へアクセスできなくなると、再生コンテンツデータ３３１に含まれるコンテンツデータ２２１は全て再生不可能となる。
【０１１３】
以上のように本実施形態では、例えば情報端末２００のユーザが再生コンテンツデータ３３１を表示装置３００へ送信してその場を離れた後に、記憶領域３３０へのアクセスが不可能となった場合でも、再生処理の終了を視聴者に周知させることができる。
【０１１４】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０１１５】
１００  表示システム
２００  情報端末
２１０、３１０  再生制御プログラム
２１１、３１４  表示制御部
２１２、３１１  入力受付部
２１３  再生制御情報生成部
２１４  送信部
２１５  設定テーブル
２２０  記憶領域
２２１  コンテンツデータ
３００  表示装置
３１２  保存制御部
３１３  解析部
３１５  再生可否判断部
３１６  カウント部
３１７  終了処理部
３２０  再生処理部
３３０  記憶領域
３３１  再生コンテンツデータ
３３２  再生制御情報端
【先行技術文献】
【特許文献】
【０１１６】
【特許文献１】特許第５１２２６４２号公報
【図１】
2015055918.tif 000003
【図２】
2015055918.tif 000004
【図３】
2015055918.tif 000005
【図４】
2015055918.tif 000006
【図５】
2015055918.tif 000007
【図６】
2015055918.tif 000008
【図７】
2015055918.tif 000009
【図８】
2015055918.tif 000010
【図９】
2015055918.tif 000011
【図１０】
2015055918.tif 000012